(57)【要約】【課題】記録媒体を安定して位置決めしてガイドすることが可能な、小型化された記録装置を提供する。【解決手段】  用紙１９を保持する給紙トレイ２は、回動して記録装置本体に対して開閉可能に設けられている。用紙１９の給送方向に交差する方向への用紙１９の動きを規制するメインサイドガイド７は、交差する方向に移動可能に設けられている。メインサイドガイド７は、サブサイドガイド８を有する。サブサイドガイド８は、給紙トレイ２を開いた状態ではメインサイドガイド７から突出しており、給紙トレイ２を閉じた状態ではメインサイドガイド７内に収納されている。【選択図】図３
2009143709.tif 000002
【特許請求の範囲】
【請求項１】
記録手段に給送される記録媒体を保持するとともに回動して装置本体に対して回動して開閉可能に設けられた供給トレイを有する記録装置において、
記録媒体の給送方向に交差する方向への記録媒体の動きを規制する、前記交差する方向に移動可能に設けられた第１のガイド及び第２のガイドを有し、
前記第２のガイドは、前記供給トレイを開いた状態では前記第１のガイドから突出しており、前記供給トレイを閉じた状態では前記第１のガイド内に収納されていることを特徴とする記録装置。
【請求項２】
前記第２のガイドは、前記第１のガイドに対して回動自在に出没可能である、請求項１に記載の記録装置。
【請求項３】
前記第２のガイドの回動軸線と前記供給トレイの回動軸線とは略平行である、請求項２に記載の記録装置。
【請求項４】
前記第２のガイドの回動軸は、前記第２のガイド本体の、記録媒体の給送方向に向けて下流側に位置する、請求項３に記載の記録装置。
【請求項５】
前記第２のガイドは、前記供給トレイを閉じるときには、装置本体内の部材に当接して前記第１のガイドに収容される、請求項１ないし４のいずれか１項に記載の記録装置。
【請求項６】
前記部材は、前記供給トレイに保持された記録媒体を装置本体内へと給送する給送手段へと押圧させる圧板である、請求項５に記載の記録装置。
【発明の詳細な説明】
【技術分野】
【０００１】
本発明は、記録装置に関し、詳しくは、用紙の給紙部の構造に関する。
【背景技術】
【０００２】
インクジェット記録装置等の小型記録装置においては、近年身近な記録装置として、オフィスや自宅で使用する据え置き型のみならず、屋外での使用が可能な小型で携帯可能な記録装置のニーズも高まっている。情報出力の有力手段として、小型軽量で可搬性に優れた記録装置が望まれている。また、記録用紙のセット性能は使い勝手や記録性能に深く関係するものであり、さまざまな取り組みがなされてきている。
【特許文献１】特開２００５―０４１２１３号公報
【発明の開示】
【発明が解決しようとする課題】
【０００３】
記録装置を小型化してゆくと、機器本体の体積は小さくなり、記録装置を構成する各部の要素が占有できるスペースは減少してゆく。記録装置の小型化に際しては、概して各部品を小型化し配置を工夫して、スペース効率を高めなければならない。用紙を適正な姿勢で給紙部にセットするために、一般な記録装置は、用紙の幅方向の位置決めを行うための用紙ガイドを備えている。
【０００４】
例えば、小型記録装置における用紙ガイドの従来構成例としては図１１に示すごとく、給紙圧板１１１上をスライドする用紙ガイド１１８を給紙口スペース１１２内にて設置するものがある。
【０００５】
しかしながら、さらなる小型化を目指すと、給紙口スペース１１２内では用紙先端部しかガイドできず、用紙斜行が十分には防げない状況となる。記録装置の小型化を進めるなかで、給紙部１０２にセットする用紙を安定して位置決めしガイドすることが難しくなってきている。特には、薄型化を目指す場合において、用紙ガイド１１８の存在スペース確保が難しく、薄型、少スペースの記録装置においても用紙のセット姿勢を安定させられるような用紙ガイド機能の確保が課題となっている。
【０００６】
そこで、本発明は、記録媒体を安定して位置決めしてガイドすることが可能な、小型化された記録装置を提供することを目的とする。
【課題を解決するための手段】
【０００７】
上記目的を達成するため本発明の記録装置は、記録手段に給送される記録媒体を保持するとともに回動して装置本体に対して回動して開閉可能に設けられた供給トレイを有する。本発明の記録装置は、記録媒体の給送方向に交差する方向への記録媒体の動きを規制する、交差する方向に移動可能に設けられた第１のガイド及び第２のガイドを有する。また、第２のガイドは、供給トレイを開いた状態では第１のガイドから突出しており、供給トレイを閉じた状態では第１のガイド内に収納されている。
【発明の効果】
【０００８】
本発明によれば、記録媒体を安定して位置決めしてガイドすることが可能な、小型化された記録装置を提供することができる。
【発明を実施するための最良の形態】
【０００９】
以下、本発明の実施の形態について図面を参照して説明する。
【００１０】
図１〜図１０は本発明の一実施形態を示す図である。
（記録装置全体構成）
図１は、収納状態すなわち携帯時の状態における記録装置の外観概略構成を示す外観斜視図である。
【００１１】
１は、本実施形態の記録装置の装置筐体である。２は給紙トレイ、３は排紙トレイであり、それぞれ収納時は記録装置の外観面を成している。装置筐体１には、図示しないデータ送受信用のコネクタ等、通常の記録装置が備えるべきインターフェース類が備わっている。装置筐体１の内部には後述する記録エンジンが搭載されている。さらには、図示しない電気回路基板等が装置筐体１内には収容されており、電気回路基板等は種々のデータ処理や記録エンジンに対する制御をおこなう。
【００１２】
図２は、使用時における記録装置の外観概略構成を示す外観斜視図である。
【００１３】
記録媒体供給トレイである給紙トレイ２は、回動して開閉可能に設けられており、装置本体内の記録領域へと給送される記録媒体である用紙１９を保持する。給紙トレイ２の一端側にはフィードトレイ回動支軸３５が設けてあり、給紙トレイ２は装置筐体１に対して矢印Ｂ方向に回動開閉自在となっている。図２では、給紙トレイ２が回動されて開き、給紙可能状態になっている。給紙トレイ２は詳しくは、フィードトレイ１７と用紙サポータ１３により形成されている。用紙サポータ１３は、フィードトレイ１７に対して、矢印Ｊ方向に伸縮自在に取り付けられており、長い用紙をセットする際は、図２に示すごとく伸びた位置に引き出して使用する。
【００１４】
１４は、フィードトレイ１７と一体に形成された用紙基準ガイドであり、用紙セット位置の基準である。用紙基準ガイド１４は、用紙をセットする際に積載用紙の一辺を当接させる面を有するリブ形状となっている。
【００１５】
１８は、用紙の幅方向を規制ガイドするための、用紙ガイドであるところのサイドガイドであり、詳しくは後述する第１のガイドであるところのメインサイドガイドおよび第２のガイドであるところのサブサイドガイドにより形成されている。サイドガイド１８は、フィードトレイ１７に対して、矢印Ａ方向に摩擦負荷をもってスライド可能に取り付けられている。サイドガイド１８は、給紙トレイ２にセットされた用紙に当接することで、給送方向に交差する方向への用紙の動きを規制し、用紙の斜行を防止する。
【００１６】
３は排紙トレイであり、使用状態では回動して用紙の排紙が可能な状態に開いている。４は、内部の記録エンジンに搭載される記録ヘッドおよび記録インクタンクを交換する際に開けるアクセスカバーである。５は電源スイッチ、６は動作リカバースイッチであり、装置の起動およびリセットを行うアクセスボタンである。
（サイドガイド）
図３および図４は、サイドガイド近傍の拡大図である。図３と図４は異なる斜視方向の図であり、両図を併用してサイドガイド近傍の説明を行う。
【００１７】
７は、第１のガイドであるところのメインサイドガイドであり、フィードトレイ１７に対して矢印Ａ方向にスライド可能に取り付けられている。
【００１８】
８は、第２のガイドであるところのサブサイドガイドである。サブサイドガイド８は、サブサイドガイド回動軸１６にて、メインサイドガイド７に対して矢印Ｃ方向に、回動可能かつ出没可能に取り付けられている。
【００１９】
９は、メインサイドガイド７と一体に形成されていて、用紙の幅方向を規制ガイドするメインガイド面である。サブサイドガイド８の最大回動半径付近には、サブサイドガイド８の一部として、円弧状リブ形状のサブガイド面１５が設けてある。メインサイドガイド面９およびサブガイド面１５の矢印Ａ方向の高さは、略同一である。メインガイド面９およびサブガイド面１５が協働して用紙の幅方向端に当接し、用紙の幅方向の規制ガイドをおこなう。
【００２０】
１０は逆止タグである。逆止タグ１０は、タグ回動軸２０にてメインサイドガイド７に対して矢印Ｄ方向に回動自在に取り付けられている。逆止タグ１０は、フィードトレイ１７と内部記録エンジンの一部であるところの圧板１１との切れ目空間に渡されたガイド部材であり、用紙が記録エンジンから逆送りされた場合の用紙後端の引っ掛かりを防止するものである。逆止タグ１０は自重により、その先端部が圧板１１に当接している。また、メインサイドガイド７およびサブサイドガイド８および逆止タグ１０は、図１の装置収納状態では、後述するように、ともに給紙口１２に収容されるものである。
（用紙搬送機構）
図５は、用紙がセットされた記録スタンバイ状態の記録装置の斜視図である。
【００２１】
用紙１９の一辺が用紙基準ガイド１４に当接し、用紙１９の他辺はサイドガイド１８にガイドされている。記録時には、セットされた用紙１９は記録装置内部に給紙され、記録がなされた後に、矢印Ｅ方向に排紙される。
【００２２】
なお、本発実施形態において、文字や画像等の情報が記録される記録媒体としては、記録用紙が適用されるが、例えばフィルム等の他の記録メディアが適用されてもよい。例えば、ＯＨＰシート、コンパクトディスクや装飾板等に用いられるプラスチック材、布帛、アルミニュウムや銅等の金属材、牛皮、豚皮、人工皮革等の皮革材を対象とすることできる。さらに木、合板等の木材、竹材、タイル等のセラミックス材、スポンジ等も対象とすることができる。
【００２３】
すなわち、本実施形態の記録装置は、各種の紙、フィルムやＯＨＰシート等に対して記録を行うプリンタ装置、コンパクトディスク等のプラスチック材に記録を行うプラスチック用記録装置、金属板に記録を行う金属用記録装置も含む。さらに、本実施形態の記録装置は、皮革に記録を行う皮革用記録装置、木材に記録を行う木材用記録装置、セラミックス材に記録を行うセラミックス用記録装置、スポンジ等の三次元網状構造体に対して記録を行う記録装置も含む。また、本発明の記録装置は、布帛に記録を行う捺染装置等をも含むものである。
【００２４】
ここで装置内部に搭載される記録エンジンの構成の概略を簡単に説明する。
【００２５】
図６は、記録エンジンの一例としてのインクジェット記録装置の概略構成を示す図である。なお、図６は、用紙セット、給紙動作、搬送動作、および記録動作に関する構成部品を抜粋して示している。
【００２６】
給紙トレイ２に積載セットされた用紙１９は、用紙基準ガイド１４およびサイドガイド１８により、幅方向をガイドされている。用紙１９は、給紙モータ３１を駆動源として給紙動力伝達系３２を介して駆動される給紙ローラ系３３によりエンジン内部へと給紙される。用紙１９は、給紙トレイ２内にてガイドされていることで給紙動作時の用紙斜行が防止される。給紙動作時には圧板１１は、給紙動力伝達系３２から連結されている図示しない圧板駆動系により回動上昇し、用紙１９を給送手段であるところの給紙ローラ系３３へ押圧している。
【００２７】
エンジンに給紙された用紙は、用紙搬送モータ２１を駆動源とし用紙搬送動力伝達系２２を介して駆動される用紙搬送ローラ２３および排紙ローラ２５により、矢印Ｅ方向に搬送、排紙される。用紙搬送ローラ２３と排紙ローラ２５の間には紙パスを形成するプラテン２４が配置されている。用紙１９はプラテン２４上で記録を成される。キャリッジ２８は、キャリッジモータ２６を駆動源としキャリッジ駆動ベルト２７を介してキャリッジシャフト３４に沿って矢印Ｋ方向に往復駆動される。キャリッジ２８には記録ヘッド２９および記録インクタンク３０が搭載されている。記録ヘッド２９による主走査記録と用紙搬送ローラ２３および排紙ローラ２５による副走査送りを交互に繰り返して用紙上に記録が成される。
【００２８】
記録手段である記録ヘッド２９は、熱エネルギを発生する手段として発熱抵抗素子を用い、この発熱抵抗素子によりインクを加熱して膜沸騰させたときに生じる気泡による圧力を利用してインクを吐出する方式を採用してもよい。あるいは記録ヘッド２は、例えばピエゾ素子等の電気機械変換素子を用いて、インクに機械的な振動を与え、この振動による圧力を利用してインクを吐出する方式が採用されてもよい。
（サイドガイドの動作説明）
図７から図１０を用いて、サイドガイド近傍の詳細を説明する。図７および図８は、記録装置の使用状態を示し、図９および図１０は記録装置の収納状態を表す。
［使用状態］
まず図７および図８を用いて、使用状態でのサイドガイド近傍の様子を説明する。
【００２９】
図７は、サイドガイド近傍の装置略断面図である。フィードトレイ１７は、フィードトレイ回動軸３５を中心に、矢印Ｂ方向矢印Ｆ向きに開らかれている。サイドガイド１８は、メインサイドガイド７およびサブサイドガイド８から成る。
【００３０】
サブサイドガイド８は、サブサイドガイド回動軸１６を中心にして、フィードトレイ１７上をスライド可能なメインサイドガイド７に対して、矢印Ｃ方向矢印Ｇ向きに回動付勢されている。サブサイドガイド８は、メインサイドガイド７から突出する方向に付勢されている。メインサイドガイド７からサブサイドガイド８が突出することにより、用紙１９をガイドする高さが十分に確保されている。またサブサイドガイド８が十分に突出しているので指先でつまみ易く操作性もよい。
【００３１】
セットされた用紙１９は、メインサイドガイド７およびサブサイドガイド８にて安定してガイドされている。サブサイドガイド回動軸１６は、サイドガイド１８の給紙方向下流側に設けられており、サイドガイド１８の給紙方向上流側にてサブサイドガイド８が回動突出している。
【００３２】
図８は、図７と同じ状態における、サイドガイド部の断面を示している。
【００３３】
図８において、メインサイドガイド７は係合爪３９にてフィードトレイ１７に対してスライド可能に係合している。メインサイドガイド７内には、弾性ゴム材から成る摩擦ゴム３７および圧縮コイルバネから成る摩擦付与バネ３８が収容されている。摩擦ゴム３７は、摩擦付与バネ３８によって、フィードトレイ１７に押圧されている。この構成により、メインサイドガイド７のスライド動作に対して摩擦負荷が付与され、メインサイドガイド７は安定して所望の位置に保持されている。
【００３４】
サブサイドガイド回動軸１６上には、ねじりコイルバネから成るガイド起立バネ４０が配置されている。ガイド起立バネ４０の腕の一端はメインサイドガイド７に係止し、他端はサブサイドガイド８に係止しており、サブサイドガイド８は矢印Ｃ方向矢印Ｇ向きに回動付勢されている。サブサイドガイド８の一部である係止ストッパ４１がメインサイドガイド７に係止することにより、サブサイドガイド８の回動工程は図８で示す所定の位置に規制されている。
【００３５】
［収納状態］
次に、図９および図１０を用いて、収納状態でのサイドガイド近傍の様子を説明する。
【００３６】
図９は、サイドガイド近傍の装置略断面図である。フィードトレイ１７はフィードトレイ回動軸３５を中心に、矢印Ｂ方向矢印Ｉ向きに閉じられている。フィードトレイ１７を閉じてゆく途中で、サブサイドガイド８は、給紙口１２に進入してゆく。フィードトレイ１７をさらに閉じきる過程で、サブサイドガイド８は圧板１１の一部である圧板ストッパ部３６に当接し、それ以上は装置内部には入り込まない。このとき、フィードトレイ１７を閉じきる過程では、給紙口１２内の圧板１１で動きを規制されたサブサイドガイド８は、サブサイドガイド回動軸１６を中心にして、メインサイドガイド７内に向けて、矢印Ｃ方向矢印Ｈ向きに回動収容されてゆく。圧板１１に突き当ててサブサイドガイド８を収容することにより、給紙口１２の空間を効率よく使いきり、サブサイドガイド８のサイズを最大化できる。すなわち、本構成は、突出時のサブサイドガイド１８の用紙ガイド高さを稼げる構成となっている。
【００３７】
図１０は、図９と同じ状態における、サイドガイド部の拡大断面図である。
【００３８】
サブサイドガイド８は、圧板ストッパ部３６に当接して、ガイド起立バネ４０の開き力に抗して、メインサイドガイド７内に収容されている。このとき、メインサイドガイド７およびサブサイドガイド８は、給紙口１２の空間に収容されている。また、逆止タグ１０も給紙口１２の空間に収容されている。
【００３９】
サブサイドガイド回動軸１６は図７および図８に示すように、サイドガイド１８本体の給紙方向下流側（図中Ｅ方向下流側）に設けられており、サイドガイド１８の給紙方向上流側（図中Ｅ方向上流側）にてサブサイドガイド８が回動出退する。加えてまた、フィードトレイ回動軸３５とサブサイドガイド回動軸１６の回動軸線は略平行となっている。これらのサブサイドガイド回動軸１６の位置取りによって、フィードトレイ１７と一体的に回動して給紙口１２に進入するサブサイドガイド８は、圧板１１の圧板ストッパ部３６に当接した後、スムースにメインサイドガイド７内に回動収容される。
【００４０】
メインサイドガイド７、サブサイドガイド８および逆止タグ１０は、一体的に、図１に示す矢印Ａ方向に所定量スライド移動可能である。メインサイドガイド７、サブサイドガイド８および逆止タグ１０は、この所定の移動範囲全域において、上記説明した状態で給紙口１２内に収容可能である。すなわち、本実施形態の記録装置は、サイドガイド７の位置を気にせずに、フィードトレイ１７を閉じれば、自動的にメインサイドガイド７、サブサイドガイド８および逆止タグ１０は収納状態となる。そして、フィードトレイ１７を開ければ自動的に、サブサイドガイド８が突出し、用紙をガイドする高さが十分に確保される状態となる。
【００４１】
本実施形態では、給紙ローラ系３３が基準側に配置されており、基準側は給紙動作中に用紙端が浮き上がりにくいので、用紙基準ガイド１４は固定型となっている。しかしながら、もちろん、用紙基準ガイドにも本件発明は適用できるものである。
【００４２】
以上説明したような簡便な構成により、操作性能と用紙ガイド性能とを確保した上で、記録装置の小型、薄型化を図ることが可能となる。
【図面の簡単な説明】
【００４３】
【図１】本発明の一実施形態の記録装置の外観斜視図であり、収納状態を示す図である。
【図２】本発明の一実施形態の記録装置の外観斜視図であり、使用状態を示す図である。
【図３】本発明の一実施形態の記録装置におけるサイドガイドの構成を示す斜視図である。
【図４】サイドガイドの構成を示す斜視図であり、図３とは異なる方向から見た図である。
【図５】用紙がセットされた記録スタンバイ状態の本発明の記録装置の斜視図である。
【図６】本発明を適用したインクジェット記録装置の概略構成を示す斜視図である。
【図７】使用状態におけるサイドガイドの構成を示す側面図である。
【図８】使用状態におけるサイドガイの拡大側断面図である。
【図９】収納状態におけるサイドガイドの構成を示す側面図である。
【図１０】収納状態におけるサイドガイの拡大側断面図である。
【図１１】従来の記録装置の一例の外観斜視図である。
【符号の説明】
【００４４】
２    給紙トレイ
７    メインサイドガイド
８    サブサイドガイド
２８    キャリッジ
２９    記録ヘッド
【図１】
2009143709.tif 000003
【図２】
2009143709.tif 000004
【図３】
2009143709.tif 000005
【図４】
2009143709.tif 000006
【図５】
2009143709.tif 000007
【図６】
2009143709.tif 000008
【図７】
2009143709.tif 000009
【図８】
2009143709.tif 000010
【図９】
2009143709.tif 000011
【図１０】
2009143709.tif 000012
【図１１】
2009143709.tif 000013